【手続補正書】
【提出日】平成18年3月23日(2006.3.23)
【手続補正１】
【補正対象書類名】明細書
【補正対象項目名】特許請求の範囲
【補正方法】変更
【補正の内容】
【特許請求の範囲】
【請求項1】  酸化性ストレスによって引き起こされた疾患を有する被験者に治療的有効量のカンナビノイドを投与する工程を含む、酸化性ストレスによって引き起こされた疾患を治療する方法。
【請求項2】  カンナビノイドが非精神活性性(nonpsychoactive)である、請求項1記載の方法。
【請求項3】  カンナビノイドが10L/kgまたはそれ以上の分配容積を有する、請求項2記載の方法。
【請求項4】  カンナビノイドがNMDA及びAMPA受容体でのアンタゴニストではない、請求項2記載の方法。
【請求項5】  カンナビノイドが下記の式を有する、請求項1記載の方法：
【化1】
2002512188.tif 000001
式中、RがH、置換もしくは非置換のアルキル基、カルボキシル基、アルコキシ基、アリール基、アリールオキシ基、アリールアルキル基、ハロゲンまたはアミノ基からなる群より選択される。
【請求項6】  RがH及び置換もしくは非置換のアルキル基、またはカルボキシル基、アルコキシ基からなる群より選択される、請求項5記載の方法。
【請求項7】  カンナビノイドが下記の式からなる群より選択される、請求項2記載の方法：
【化2】
2002512188.tif 000002
式中、Aがシクロヘキシル基及び置換または非置換のアリール基、
【化3】
2002512188.tif 000003
からなる群より選択されるがピネンではなく；
R1がH、置換または非置換のアルキル基、及び置換または非置換のカルボキシル基からなる群より選択され；
R2がH、低級の置換または非置換のアルキル基、及びアルコキシ基からなる群より選択され；
R3がH、低級の置換または非置換のアルキル基、及び置換または非置換のカルボキシル基からなる群より選択され；
R4がH、水酸基及び低級の置換または非置換のアルキル基からなる群より選択され；並びに
R5がH、水酸基及び低級の置換または非置換のアルキル基からなる群より選択される。
【請求項8】  R1が低級のアルキル基、COOH、及びCOCH3からなる群より選択され；
R2が非置換のC1-C5アルキル基、水酸基、メトキシ基及びエトキシ基からなる群より選択され；
R3がH、非置換のC1-C3アルキル基、及びCOCH3からなる群より選択され；
R4が水酸基、ペンチル基、ヘプチル基及びジメチルヘプチル基からなる群より選択され；
R5が水酸基及びメチル基からなる群より選択される、請求項7記載の方法。
【請求項9】  カンナビノイドが、
【化4】
2002512188.tif 000004
または
【化5】
2002512188.tif 000005
または
【化6】
2002512188.tif 000006
からなる群より選択され、式中、R1、R2及びR3は、H、CH3、及びCOCH3からなる群より独立して選択される、請求項1記載の方法。
【請求項10】  カンナビノイドが、
【化7】
2002512188.tif 000007
からなる群より選択され、
式中、a)R1＝R2＝R3＝H
b)R1＝R3＝H、R2＝CH3
c)R1＝R2＝CH3、R3＝H
d)R1＝R2＝COCH3、R3＝H
e)R1＝H、R2＝R3＝COCH3
である、請求項9記載の方法。
【請求項11】  カンナビノイドが、
【化8】
2002512188.tif 000008
または
【化9】
2002512188.tif 000009
からなる群より選択され、
式中、R19がH、低級アルキル基、低級アルコール、またはカルボキシル基であり、R20がHまたはOHであり、かつR21-R25が独立してHまたはOHである、請求項2記載の方法。
【請求項12】  R19がH、CH3、CH2OH、またはCOOHであり、かつR20-R25が独立してHまたはOHである、請求項11記載の方法。
【請求項13】  カンナビノイドが、
【化10】
2002512188.tif 000010
または
【化11】
2002512188.tif 000011
であり、
式中、R19及びR20はHであり、かつR26がアルキル基である、請求項2記載の方法。
【請求項14】  カンナビノイドがカンナビジオールである、請求項10記載の方法。
【請求項15】  請求項5記載のカンナビノイドの治療的有効量を被験者に投与する工程を含む、被験者の中枢神経系における虚血性または神経変性性疾患を治療する方法。
【請求項16】  カンナビノイドが精神活性性カンナビノイドでない、請求項13記載の方法。
【請求項17】  虚血性または神経変性性疾患が、虚血性梗塞、アルツハイマー病、パーキンソン病、及びヒト免疫不全ウイルス痴呆症、ダウン症候群、並びに心疾患からなる群より選択される、請求項15記載の方法。
【請求項18】  カンナビノイドが抗酸化剤であるかどうかを決定する工程を含む、神経学的疾患を治療する際に使用できるカンナビノイドを選択するアッセイ法。
【請求項19】  カンナビノイドが抗酸化剤であるかどうかを決定するために請求項18項記載のアッセイ法を用いる工程、そしてそれが抗酸化剤である場合にそのカンナビノイドを投与する工程を含む、神経学的疾患または虚血性疾患を治療する方法。
【請求項20】  神経学的疾患または虚血性疾患が、中枢神経系または心筋における血管虚血事象である、請求項19記載の方法。
【請求項21】  神経学的疾患が脳における血栓塞栓症である、請求項20記載の方法。
【請求項22】  疾患が酸化性ストレスから引き起こされるかどうかを決定する工程、および該疾患が酸化性ストレスから引き起こされたのであれば治療的に有効な抗酸化量でカンナビノイドを投与する工程を含む、カンナビノイドを用いて疾患を治療する方法。
【請求項23】  カンナビノイドが、少なくとも1.5L/kgの分配容積を有し、かつカンナビノイド受容体において実質的に活性がない、請求項22記載の方法。
【請求項24】  カンナビノイドが、少なくとも10L/kgの分配容積を有する、請求項23記載の方法。
【請求項25】  カンナビノイドが、12-リポキシゲナーゼの酵素活性よりも5-及び15-リポキシゲナーゼの酵素活性を選択的に阻害する、請求項1記載の方法。
【請求項26】  カンナビノイドが12-リポキシゲナーゼの酵素活性よりも実質的に顕著に5-及び15-リポキシゲナーゼの酵素活性を選択的に阻害するかどうかを決定する工程を含む、神経学的疾患の治療において使用するカンナビノイドを選択するアッセイ法。
【請求項27】  カンナビノイドが12-リポキシゲナーゼの酵素活性よりも実質的に顕著に5-及び15-リポキシゲナーゼの酵素活性を阻害するかどうかを決定するために請求項26記載のアッセイ法を用いる工程、そしてそれが12-リポキシゲナーゼよりも実質的に顕著に5-及び15-リポキシゲナーゼの酵素活性を阻害する場合にそのカンナビノイドを投与する工程を含む、神経学的疾患または虚血性疾患を治療する方法。
【請求項28】  神経学的疾患または虚血性疾患が、中枢神経系または心筋における血管虚血事象である、請求項27記載の方法。
【請求項29】  神経学的疾患が脳における血栓塞栓症である、請求項28記載の方法。
【請求項30】  カンナビノイドが、虚血性障害が起きている間及びその後で投与される、請求項27記載の方法。
【請求項31】  カンナビノイドが12-リポキシゲナーゼの酵素活性よりも実質的に顕著に5-及び15-リポキシゲナーゼの酵素活性を選択的に阻害するかどうかを決定する工程、及び該カンナビノイドが低いNMDA拮抗作用を有するかどうかを決定する工程をさらに含む請求項18記載のアッセイ法。
【請求項32】  カンナビノイドが、潜在的なカンナビノイド受容体活性を有するかどうかを決定する工程をさらに含む、請求項31記載の方法。
【請求項33】  被験者の中枢神経系における神経変性性疾患の治療に用いるための、請求項9〜13記載の任意の化合物。
【請求項34】  被験者の中枢神経系における虚血性または神経変性性疾患の治療のためのカンナビジオールの使用方法。
【請求項35】  虚血性または神経変性性疾患が、虚血性梗塞、アルツハイマー病、パーキンソン病、及びヒト免疫不全ウイルス痴呆症、ダウン症候群、並びに心疾患からなる群より選択される、請求項34記載の使用方法。
【請求項36】  疾患が虚血性梗塞である、請求項35記載の使用方法。 
【請求項37】  神経変性性疾患の治療のための薬物製造のためのカンナビジオールの使用方法。
【請求項38】  神経変性性疾患が脳の虚血性疾患である、請求項37記載のカンナビジオール使用方法。